【手続補正書】
【提出日】平成20年8月6日(2008.8.6)
【手続補正１】
【補正対象書類名】特許請求の範囲
【補正対象項目名】全文
【補正方法】変更
【補正の内容】
【特許請求の範囲】
【請求項１】
撮像光学系と、
該撮像光学系により結像した被写体の像を映像信号として出力する撮像手段と、
赤外光をカットする赤外カットフィルタと、該赤外カットフィルタを前記撮像光学系の光路中に挿抜する挿脱手段と、
前記撮像手段とは異なる部位に設けられ被写体の明度を検出するための明度検出手段と、
前記映像信号に基づき撮影画面内の一部撮影範囲及び全撮影範囲の明度を算出する画面明度算出手段と、
被写体の明度に応じて、前記挿脱手段を制御し、撮影モードの切り換えを行う撮影モード切り換え手段とを有する撮像装置において、
前記撮影モード切り換え手段は、前記明度検出手段により検出される明度と、前記画面明度算出手段により算出される前記撮影画面内の一部撮影範囲及び全撮影範囲の明度と、前記明度検出手段の前記全撮影範囲相当の明度と、を用いて前記撮影モードの切り換えを行うことを特徴とする撮像装置。
【請求項２】
撮像光学系と、       
該撮像光学系により結像した被写体の像を映像信号として出力する撮像手段と、
赤外光をカットする赤外カットフィルタと、該赤外カットフィルタを前記撮像光学系の光路中に挿抜する挿脱手段と、
前記撮像光学系の倍率を変える変倍手段と、
前記撮像手段とは異なる部位に設けられ被写体の明度を検出するための明度検出手段と、
前記映像信号に基づき撮影画面内の全撮影範囲の明度を算出する画面明度算出手段と、
被写体の明度に応じて、前記挿脱手段を制御し、撮影モードの切り換えを行う撮影モード切り換え手段とを有する撮像装置において、
前記画面明度算出手段により算出される前記撮影画面内の全撮影範囲の明度と、前記変倍手段の変倍値と、前記明度検知手段により検出された明度と、前記明度検知手段の前記全撮影範囲相当の明度と、を用いて、前記撮影モードの切り換えを行うことを特徴とする撮像装置。
【請求項３】
撮像光学系と、
該撮像光学系により結像した被写体の像を映像信号として出力する撮像手段と、
赤外光をカットする赤外カットフィルタと、
該赤外カットフィルタを前記撮像光学系の光路中に挿抜する挿脱手段と、
前記撮像手段とは異なる部位に設けられ被写体の明度を検出するための明度検出手段と、
前記映像信号に基づき撮影画面内の全撮影範囲の明度を算出する画面明度算出手段と、
前記撮像光学系の倍率を変える変倍手段と、
被写体距離検出手段と、
被写体の明度に応じて前記挿脱手段を制御し、撮影モードの切り換えを行う撮影モード切り換え手段とを有する撮像装置において、
前記撮影モード切り換え手段は、前記画面明度算出手段により算出される前記撮影画面内の全撮影範囲の明度と、前記明度検出手段により検出される明度と、前記被写体距離検出手段が検出する被写体距離又は変倍値に応じて設定される前記撮影画面内の前記明度検出手段の明度検出範囲相当領域とを用いて、前記撮影モードの切り換えを行うことを特徴とする撮像装置。
【請求項４】
撮像光学系と、
該撮像光学系により結像した被写体の像を映像信号として出力する撮像手段と、
赤外光をカットする赤外カットフィルタと、該赤外カットフィルタを前記撮像光学系の光路中に挿抜する挿脱手段と、
前記撮像手段とは異なる部位に設けられ被写体の明度を検出するための明度検出手段と、
前記映像信号に基づき撮影画面内の明度を算出する画面明度算出手段と、
前記撮像光学系の倍率を変える変倍手段と、
被写体の明度に応じて、前記挿脱手段を制御し、撮影モードの切り換えを行う撮影モード切り換え手段とを有する撮像装置において、
前記撮影モード切り換え手段は、前記明度検出手段の明度検出範囲と前記撮影範囲の画角とが所定値以上異なる場合には、前記撮影画面内の明度のみを用いて、前記撮影モードの切り換えを行うことを特徴とする撮像装置。
【手続補正２】
【補正対象書類名】明細書
【補正対象項目名】０００９
【補正方法】変更
【補正の内容】
【０００９】
以下、本発明の実施例を図面を用いて説明する。
［第１の実施例］
図１は本発明の第１実施例に係る撮像装置の概要構成図、図２は図１に示される撮像装置の回路構成を示すブロック図である。図中、１は撮像レンズ、２は撮像レンズ１の光軸、３はフィルタ切り換え機構である。フィルタ切り換え機構３は、赤外カットフィルタ４と透明基板５をモータ６により適宜切り換えて撮像レンズ１の光路中に挿抜することができるよう構成されている。７は撮像手段であるＣＣＤ、８は撮影範囲の照度(明度)を検出する照度センサ（明度検出手段）であり、この照度センサ８の分光感度特性はＣＣＤ７に赤外カットフィルタ４を組み合わせた際の分光感度特性と略同等となる様に構成されている。９は照度センサの光軸、１０はこの撮像装置を制御する制御回路であり、外部からの電源の入力および外部への映像信号の出力を行えるように構成されている。１５はズームレンズである撮像レンズ１の少なくとも一部を光軸２方向に移動させて撮像レンズ１の焦点距離を広角から望遠まで変化させるためのモータである。
【手続補正３】
【補正対象書類名】明細書
【補正対象項目名】００１１
【補正方法】変更
【補正の内容】
【００１１】
図３は図１に示される撮像装置の撮影範囲と照度センサの照度(明度)検出範囲との関係説明図である。
照度センサ８について図３を用いて説明する。３１は撮像装置の撮影範囲であり、３２は照度センサ８の照度(明度)検出範囲である。照度(明度)検出範囲３２は撮影範囲３１内にある。但し、変倍手段により撮像装置が望遠側になったときには、図６のように照度センサの照度(明度)検出範囲６２の方が撮像装置の撮影範囲６１より大きくなることがありうる。第１実施例は図３のように撮像装置の撮影範囲３１の方が照度(明度)検出手段の照度(明度)検出範囲３２よりも大きい場合の補正方法を示す。
撮影範囲３１内に照度(明度)検出範囲３２を設定するために、照度センサ８の感度が最大となる方向である照度センサ８の光軸９は、撮像レンズ１の光軸２と平行であり、かつ光軸２の近傍に配置されている。また、照度センサ８の分光特性は、可視光成分を検出するため、ＩＲカットフィルタ挿入時のＣＣＤの分光特性に近いものとなっている。
【手続補正４】
【補正対象書類名】明細書
【補正対象項目名】００１２
【補正方法】変更
【補正の内容】
【００１２】
図４は図１に示される撮像装置の動作を制御するフローチャートである。
次に、以上の構成の撮像装置におけるカラーモードと白黒モードの切り換え動作を、図４のフローチャートを用いて説明する。
まず、ステップＳ１０１で照度センサ検出範囲と同等な領域、つまり図３中の照度(明度)検出範囲３２と略同等な領域のみに限定した撮像素子上の輝度値（明度）Ｙ２ｐａｒｔと撮像素子上の全撮影範囲の輝度値Ｙ２ａｌｌを算出する。ステップＳ１０２にて照度センサから出力される輝度値Ｙ１の算出を行い、続いてステップＳ１０３にて現在の撮影モードが白黒モード（ナイトモード）であるかどうかをカメラ制御回路２１で判断する。白黒モードであればステップＳ１０４に進む。白黒モードでなければカラーモード（デイモード）である。カラーモードであればステップＳ１１０に進む。
ステップＳ１０４では、Ｙ２ｐａｒｔとＹ２ａｌｌを用いて以下のような計算を行うことにより照度センサの出力Ｙ１より前記全撮影範囲相当の輝度（明度）Ｙ１ｃｏｍｐを求める。